(57)【要約】【課題】  短時間で精度の高い時刻修正を行うことの可能な腕装着型端末、及び、その時刻修正方法を提供する。【解決手段】    現在時刻データを計数する時刻計数手段と、外部機器から時刻データを取得する外部時刻取得手段と、この外部時刻取得手段により取得された時刻データに基づいて時刻計数手段の現在時刻データを修正する第１時刻修正手段と、標準電波を受信する標準電波受信手段と、第１時刻修正手段により時刻計数手段の現在時刻データを修正した後、標準電波受信手段を動作させる制御手段と、標準電波受信手段で受信した電波信号のうち所定の信号に基づいて現在時刻のうち秒の一の位の値を取得し、この秒の一の位の値に基づいて時刻計数手段の現在時刻データを修正するとともに、現在時刻データを標準電波信号に時刻同期させる第２時刻修正手段とを備える。【選択図】図４
2011112472.tif 000002
【特許請求の範囲】
【請求項１】
現在時刻データを計数する時刻計数手段と、
外部機器から時刻データを取得する外部時刻取得手段と、
この外部時刻取得手段により取得された時刻データに基づいて前記時刻計数手段の現在時刻データを修正する第１時刻修正手段と、
標準電波を受信する標準電波受信手段と、
前記第１時刻修正手段により前記時刻計数手段の現在時刻データを修正した後、前記標準電波受信手段を動作させる制御手段と、
前記標準電波受信手段で受信した電波信号のうち所定の信号に基づいて現在時刻のうち秒の一の位の値を取得し、前記取得した秒の一の位の値に基づいて前記時刻計数手段の現在時刻データを修正するとともに、現在時刻データを標準電波信号に時刻同期させる第２時刻修正手段とを備えることを特徴とする腕装着型端末。
【請求項２】
前記制御手段は、前記第１時刻修正手段で前記時刻計数手段の現在時刻データを修正した後、前記修正された現在時刻データの秒値が所定の値となるタイミングで標準電波受信手段を動作させる
ことを特徴とする請求項１に記載の腕装着型端末。
【請求項３】
前記受信する標準電波は、日本のＪＪＹであり、
前記所定の信号は、ポジションマーカである
ことを特徴とする請求項１に記載の腕装着型端末。
【請求項４】
前記制御手段は、前記第２時刻修正手段で前記時刻計数手段の現在時刻データを修正できなかった場合には、表示時刻が低精度であることを示す表示を行う
ことを特徴とする請求項１に記載の腕装着型端末。
【請求項５】
前記外部時刻取得手段により前記外部機器から時刻データを取得する前に、当該外部機器に対して当該外部機器が計数している時刻データの更新処理を実行させる指令を出力する時刻修正指令出力手段を備えている
ことを特徴とする請求項１に記載の腕装着型端末。
【請求項６】
前記外部機器と無線通信を行う無線通信手段を備え、前記外部時刻取得手段は、前記無線通信手段を介して無線通信により前記外部機器から時刻データを取得する
ことを特徴とする請求項１に記載の腕装着型端末。
【請求項７】
現在時刻データを計数する時刻計数手段を備えた端末が前記現在時刻データを修正する時刻修正方法において、
外部機器から時刻データを取得する外部時刻取得ステップと、
この外部時刻取得ステップにより取得された時刻データに基づいて前記時刻計数手段の現在時刻データを修正する第１時刻修正ステップと、
前記第１時刻修正ステップにより前記時刻計数手段の現在時刻データを修正した後、標準電波を受信する標準電波受信ステップと、
前記標準電波受信ステップで受信した電波信号のうち所定の信号に基づいて現在時刻のうち秒の一の位の値を取得し、前記取得した秒の一の位の値に基づいて前記時刻計数手段の現在時刻データを修正するとともに、現在時刻データを標準電波信号に時刻同期させる第２時刻修正ステップと
を含むことを特徴とする時刻修正方法。
【発明の詳細な説明】
【技術分野】
【０００１】
この発明は、計時機能と時刻修正機能とを備えた腕装着型端末、及び、その時刻修正方法に関する。
【背景技術】
【０００２】
従来、計時機能を備えた腕装着型端末として、長波帯で送信されている標準電波を受信し、所定のフォーマット（タイムコード）に基づいて時刻データを読み取って時刻の修正を行う電子時計がある。この標準電波を用いた時刻修正により、精度の高い時刻データを取得することができる。
【０００３】
また、ブルートゥース（Bluetooth：登録商標）などの短距離無線通信を用いて携帯電話から時刻データを取得し、短時間で腕時計の時刻を修正する技術が提案されている（例えば、特許文献１）。
【０００４】
また、本願発明と関連する技術として、特許文献２には、デジタルカメラの内部で計時された時刻データが外部機器から正確な時刻情報を取得した際に正確ではないと判定された場合に、時刻データが不正確であることを表示する機能に関する技術が開示されている。
【先行技術文献】
【特許文献】
【０００５】
【特許文献１】特開２００９−１１８４０３号公報
【特許文献２】特開２００５−３３２３６２号公報
【発明の概要】
【発明が解決しようとする課題】
【０００６】
標準電波から時刻データを取得するには、１〜３分程度を要し、長い時間がかかるという問題がある。また、電波環境の悪い場所では、標準電波からの時刻データの取得が完了できずに時刻修正が全く行えなくなるという問題もある。
【０００７】
また、携帯電話から取得する時刻データは、携帯電話の仕様によってずれを伴っている。携帯電話の中には、通信ネットワークを介して外部の時刻サーバから時刻データを取得して内蔵時計を補正するものもあり、このような携帯電話では、時刻のずれが１秒程度に達する場合もある。従って、必ずしも精度の高い時刻修正を行うことができないという課題がある。
【０００８】
本発明の目的は、短時間で精度の高い時刻修正を行うことが可能な腕装着型端末及び時刻修正方法を提供することにある。
【課題を解決するための手段】
【０００９】
本発明は、上記目的を達成するため、請求項１に記載の発明は、
現在時刻データを計数する時刻計数手段と、
外部機器から時刻データを取得する外部時刻取得手段と、
この外部時刻取得手段により取得された時刻データに基づいて前記時刻計数手段の現在時刻データを修正する第１時刻修正手段と、
標準電波を受信する標準電波受信手段と、
前記第１時刻修正手段により前記時刻計数手段の現在時刻データを修正した後、前記標準電波受信手段を動作させる制御手段と、
前記標準電波受信手段で受信した電波信号のうち所定の信号に基づいて現在時刻のうち秒の一の位の値を取得し、前記取得した秒の一の位の値に基づいて前記時刻計数手段の現在時刻データを修正するとともに、現在時刻データを標準電波信号に時刻同期させる第２時刻修正手段とを備える
ことを特徴とする腕装着型端末である。
【００１０】
請求項２に記載の発明は、請求項１に記載の腕装着型端末において、
前記制御手段は、前記第１時刻修正手段で前記時刻計数手段の現在時刻データを修正した後、前記修正された現在時刻データの秒値が所定の値となるタイミングで標準電波受信手段を動作させる
ことを特徴としている。
【００１１】
請求項３に記載の発明は、請求項１に記載の腕装着型端末において、
前記受信する標準電波は、日本のＪＪＹであり、
前記所定の信号は、ポジションマーカである
ことを特徴としている。
【００１２】
請求項４に記載の発明は、請求項１に記載の腕装着型端末において、
前記制御手段は、前記第２時刻修正手段で前記時刻計数手段の現在時刻データを修正できなかった場合には、表示時刻が低精度であることを示す表示を行う
ことを特徴としている。
【００１３】
請求項５に記載の発明は、請求項１に記載の腕装着型端末において、
前記外部時刻取得手段により前記外部機器から時刻データを取得する前に、当該外部機器に対して当該外部機器が計数している時刻データの更新処理を実行させる指令を出力する時刻修正指令出力手段を備えている
ことを特徴としている。
【００１４】
請求項６に記載の発明は、請求項１に記載の腕装着型端末において、
前記外部機器と無線通信を行う無線通信手段を備え、前記外部時刻取得手段は、前記無線通信手段を介して無線通信により前記外部機器から時刻データを取得する
ことを特徴としている。
【００１５】
請求項７に記載の発明は、
現在時刻データを計数する時刻計数手段を備えた端末が前記現在時刻データを修正する時刻修正方法において、
外部機器から時刻データを取得する外部時刻取得ステップと、
この外部時刻取得ステップにより取得された時刻データに基づいて前記時刻計数手段の現在時刻データを修正する第１時刻修正ステップと、
前記第１時刻修正ステップにより前記時刻計数手段の現在時刻データを修正した後、標準電波を受信する標準電波受信ステップと、
前記標準電波受信ステップで受信した電波信号のうち所定の信号に基づいて現在時刻のうち秒の一の位の値を取得し、前記取得した秒の一の位の値に基づいて前記時刻計数手段の現在時刻データを修正するとともに、現在時刻データを標準電波信号に時刻同期させる第２時刻修正ステップと
を含むことを特徴とする時刻修正方法である。
【発明の効果】
【００１６】
本発明に従うと、腕装着型端末において、短い時間で高精度な時刻修正を行うことができるという効果がある。
【図面の簡単な説明】
【００１７】
【図１】本発明の実施形態の通信システムを示す構成図である。
【図２】実施形態の電子時計の内部構造を示すブロック図である。
【図３】実施形態の携帯電話の内部構造を示すブロック図である。
【図４】本実施形態の電子時計のＣＰＵによる時刻修正処理の制御手順を示すフローチャートである。
【発明を実施するための形態】
【００１８】
以下、本発明の実施の形態を図面に基づいて説明する。
【００１９】
図１は、本発明の実施形態の通信システムを示す構成図である。
【００２０】
本実施の形態の通信システム１は、腕装着型端末としての電子時計４０と、外部機器としての携帯電話１０とにより構成されている。電子時計４０は、時計本体とバンドとを有する腕時計であり、標準電波を受信する機能に加えてブルートゥース通信を行う機能を備え、携帯電話１０と通信を行うことが可能となっている。携帯電話１０は、基地局と通信を行う機能に加えてブルートゥース通信を行う機能を備え、電子時計４０と通信を行うことが可能となっている。
【００２１】
図２は、本発明の実施形態の電子時計の内部構造を示すブロック図である。
【００２２】
電子時計４０は、機器の全体的な制御と演算処理を行うＣＰＵ（中央演算処理装置）４１（第１時刻修正手段、制御手段、第２時刻修正手段、時刻修正指令出力手段）と、ＣＰＵ４１が読み出して実行する制御プログラムや初期設定データを格納するＲＯＭ（Read Only Memory）４２と、ＣＰＵ４１に作業用メモリ空間を提供するＲＡＭ（Random Access Memory）４３と、現在時刻データを計数する時刻計数手段としての計時回路４５と、液晶を用いて時刻情報や種々の機能に関する情報を表示するＬＣＤ（液晶表示部）４６と、ＬＣＤ４６を駆動するドライバ４７と、複数の操作ボタンにより外部から入力操作を行うスイッチ４４と、アンテナＡＮ５０を介して２．４ＧＨｚ帯の電波を送受信し、ブルートゥース通信を行うＢｌｕｅｔｏｏｔｈモジュール４８（外部時刻取得手段および無線通信手段）と、ブルートゥース規格の無線通信データと電子時計４０内部のシリアルデータとの間で信号の変換を行うＵＡＲＴ（Universal Asynchronous Receiver Transmitter）４９と、アンテナＡＮ５２を介して長波帯の標準電波を受信し、入力信号を復調する標準電波受信回路５１（標準電波受信手段）と、ＣＰＵ４１と他の各部との間でデータのやりとりを行うバス５３などを備えている。
【００２３】
計時回路４５は、図示略の発振回路から入力した所定の周波数信号を分周し、時、分、秒、１秒未満の値（時間値、分値、秒値、秒未満値と呼ぶ）をカウントして保持する。また、計時回路４５は、標準電波受信回路５１やＢｌｕｅｔｏｏｔｈモジュール４８から時刻情報が取得された場合には、ＣＰＵ４１の指示により各カウンタの値が上書きされて時刻修正が行われる。
【００２４】
標準電波受信回路５１は、長波帯の標準電波を受信するための回路であり、同調回路、増幅器、バンドパスフィルタ、及び検波器などを備える。この標準電波受信回路５１は、標準電波の受信が必要な場合にのみＣＰＵ４１に制御されて電源がオンされることが可能に構成されている。標準電波では、時刻情報を含む６０秒の信号（タイムコード）が振幅変調され、毎分送信されている。このタイムコードは、それぞれ異なるパルスパターンで示される複数の符号が１秒間に１個ずつ所定のフォーマットに従って約６０個配列されてなる信号である。そして、この符号の配列を解読することにより、時、分、日付、年、曜日、うるう秒の予告、及び、夏時間設定の有無などの情報を取得することができる。
【００２５】
図３は、本発明の実施形態の携帯電話１０の内部構造を示すブロック図である。
【００２６】
携帯電話１０は、種々の動作を統括的に制御し、演算を行うＣＰＵ１１と、ＣＰＵ１１が実行する制御プログラムや初期設定データを格納するＲＯＭ１２と、ＣＰＵ１１に作業用メモリ空間を提供し、一時データを記憶するＲＡＭ１３と、複数のキーやスイッチにより外部からの入力を行う操作部１４と、通話情報、通信情報や各種機能に関する表示を行うＬＣＤ１５と、ＬＣＤ１５を駆動するドライバ１６と、デジタルデータをスピーカ１７から出力する音声信号に変換したり、マイク１８から取得した音声信号をデジタルデータに変換したりするコーデック１９と、アンテナＡＮ１１を介して基地局との間で無線通信を行うための周波数同調や信号の増幅を行うＲＦ送受信回路２０と、ＲＦ送受信回路２０による無線通信データを変調、復調したり、入出力信号と携帯電話１０内部のデータとの変換処理を行ったりする通信回路２１と、アンテナＡＮ１２を介して２．４ＧＨｚ帯の電波を送受信することで外部機器とブルートゥース通信を行うＢｌｕｅｔｏｏｔｈモジュール２２と、ブルートゥースによる通信データとシリアルデータとの間で信号の変換を行うＵＡＲＴ２３と、振動により着信を知らせる振動モータ２４およびそのドライバ２５と、ヒンジ１０ａ（図１）を有する開閉機構により本体の開閉状態を検出する本体開閉センサ２６と、現在時刻を計数する内蔵時計２７と、ＣＰＵ１１と各部との間でデータのやりとりを行うバス２８などを備えている。
【００２７】
携帯電話１０のＲＯＭ１２には、電子時計４０から時刻更新処理の要求を受信した場合にＲＦ送受信回路２０と通信回路２１とを利用して外部の時刻サーバに接続し、時刻データを取得して内蔵時計２７の時刻データを更新する時刻更新処理プログラム、及び、電子時計４０から時刻データ送信要求を受信した場合にＢｌｕｅｔｏｏｔｈモジュール２２を利用して電子時計４０へ時刻データを無線送信する時刻データ送信プログラムなどが格納されている。
【００２８】
内蔵時計２７は、図示略の発振回路から入力した所定の周波数の信号を分周、計数して時刻データをカウントする。また、内蔵時計２７の時刻データは、ＲＦ送受信回路２０により基地局から送られた時刻データが受信された際には、ＣＰＵ１１の指令により上書き修正される。
【００２９】
電子時計４０と携帯電話１０においては、あらかじめペアリング処理を行っておくことで鍵データが生成されてそれぞれのメモリに登録され、電子時計４０と携帯電話１０とが近くにある状態で両者のブルートゥースモジュール２２、４８を作動させることで、自動的に通信リンクが確立して相互のデータ通信が可能とされる。
【００３０】
次に、電子時計４０の時刻修正動作について説明する。
【００３１】
電子時計４０のＣＰＵ４１は、所定のタイミングや、或いは、ユーザによるスイッチ４４からの命令入力により時刻修正動作処理を開始する。この所定のタイミングは、例えば、計時回路４５の保持する時刻データに基づいて一日に一回予め定められた時刻である。本実施の形態の時刻修正動作では、まず、電子時計４０と携帯電話１０との間でブルートゥース通信を行う。そして、電子時計４０は、携帯電話１０の内蔵時計２７の時刻データを更新させた後、携帯電話１０からこの更新された時刻データを取得して計時回路４５の時刻データを修正する。計時時計４５の現在時刻データは、この時刻修正処理により±１秒程度の誤差範囲内に修正される。
【００３２】
携帯電話１０の内蔵時計２７を用いた上記の時刻修正処理が終了すると、次に、ＣＰＵ４１は、標準電波受信回路５１の電源をオンして標準電波を受信させる。標準電波では、例えば日本のＪＪＹの場合、３種類の符号が用いられている。これらの符号は、信号強度が大きいハイレベルの継続時間と信号強度が小さいローレベルの継続時間との比によって、それぞれ“０”符号（ハイレベルが８００ｍｓの後にローレベルが２００ｍｓ）、“１”符号（ハイレベルが５００ｍｓの後にローレベルが５００ｍｓ）、及び、“Ｐ”符号（ハイレベルが２００ｍｓの後にローレベルが８００ｍｓ）と定められている。
【００３３】
このうち、“Ｐ”符号は、毎分０秒を示すマーカＭと、毎分９秒、１９秒、２９秒、３９秒、４９秒、及び、５９秒をそれぞれ示すポジションマーカＰ１〜Ｐ５、Ｐ０として、１分間に７回送信される。すなわち、“０”符号または“１”符号の次の“Ｐ”符号は、ポジションマーカＰ０〜Ｐ５の何れかである。従って、計時回路４５の時刻データがあらかじめ正確な時刻に対し前後数秒（例えば、±１秒）の誤差範囲内に収められている場合は、ポジションマーカＰ０〜Ｐ５の何れかを検出して秒値の一の位の値を取得するとともに、パルスの立ち上がりのタイミングと秒の開始タイミングとを一致させることにより、正確な時刻へ修正することが可能となる。ＣＰＵ４１は、以上のように計時回路４５の時刻修正を行い、標準電波受信回路５１の電源をオフして時刻修正動作処理を終了する。
【００３４】
次に、電子時計４０の時刻修正処理の手順について、フローチャートを参照して説明する。
【００３５】
図４は、電子時計４０のＣＰＵ４１による時刻修正処理の制御手順を示すフローチャートである。
【００３６】
電子時計４０の時刻修正処理が開始されると、まず、ステップＳ１１へ移行し、ＣＰＵ４１は、電子時計４０が携帯電話１０と通信リンク中であるか否かを確認する。既にリンク中であれば、ステップＳ１４へ移行する。一方、通信リンク中でない場合は、ステップＳ１２へ移行し、ＣＰＵ４１は、携帯電話１０とのリンク処理を行う。そして、携帯電話１０とのリンクが確立されたか否かを判別する（ステップＳ１３）。リンクが確立されたと判別されると“ＹＥＳ”へ分岐し、ステップＳ１４へ移行する。リンクが確立されなかったと判別された場合は、“ＮＯ”へ分岐してステップＳ２６へ移行し、ＣＰＵ４１は、ＬＣＤ４６に携帯電話１０とのリンクが確立されずに時刻修正が行われなかったことを示す“リンクエラー表示”を行わせて、時刻修正処理を終了する。
【００３７】
携帯電話１０とのリンクが確立した状態でステップＳ１４へ移行すると、次に、ＣＰＵ４１は、携帯電話１０へ内蔵時計２７の時刻を更新させるように要求する。続いて、ステップＳ１５へ進み、ＣＰＵ４１は、携帯電話１０に更新された時刻データを電子時計４０へ送信するように要求し、携帯電話１０からこの要求に従って送信された時刻データを受信する。そして、ＣＰＵ４１は、携帯電話１０から受信した時刻データに基づいて、計時回路４５の時刻データを修正する（ステップＳ１６）。
【００３８】
計時回路４５の時刻データが修正されると、ＣＰＵ４１は、修正された時刻の秒データが５５秒になるまで待機する（ステップＳ１７）。計時回路４５の秒値が５５になると、ＣＰＵ４１は、標準電波受信回路５１の電源をオンし、標準電波の受信を開始する（ステップＳ１８）。また、ＣＰＵ４１は、標準電波の受信開始と同時に受信時間のカウントを開始する。
【００３９】
なお、時刻修正処理が頻繁に行われており、例えば、電子時計４０における前回の時刻修正処理から一定期間内であって、計時回路４５の時刻データに数秒以上の大きな誤差はないと見なされる状況であれば、ステップＳ１２のリンク処理に失敗した場合でも、時刻修正処理を終了せずに直接ステップＳ１７へ移行可能に設定することとしても良い。
【００４０】
標準電波の受信を開始すると、ＣＰＵ４１は、入力信号がハイレベルへ立ち上がるタイミングを始点として所定の取得時間（例えば０．９ｓ）の信号を用い、これをデコードして符号種を同定する。そして、ポジションマーカが検出されたか否かを判別する（ステップＳ１９）。この実施形態では、最初に検出されるポジションマーカは、５９秒に送信されるポジションマーカＰ０である。検出された符号がポジションマーカではないか、或いは、ポジションマーカであるとは断定できないと判別された場合は、ステップＳ２０へ移行し、続いて、標準電波の受信を開始してから所定の受信時間が経過したか否かを判別する。この所定の受信時間は、標準電波の受信開始からポジションマーカＰ０が検知されるまでに想定される最長の時間以上の時間である。本実施の形態では、例えば、１０秒に設定されている。
【００４１】
或いは、ステップＳ１９の判別処理では、“Ｐ”符号であるか否かのみを判別するので、“０”符号と“１”符号とを判別する必要はない。従って、例えば、信号強度のハイレベルへの立ち上がりから２５０ｍｓの間の入力信号を用い、２００ｍｓ経過したタイミングで入力信号にハイレベルからローレベルへの立ち下がりが検出されたか否かのみを判定することとしても良い。
【００４２】
ステップＳ２０の判別処理で、所定の受信時間が経過したと判別された場合は、標準電波の受信状態が悪くポジションマーカＰ０を検出できなかったと判断してステップＳ２７へ移行する。そして、ＣＰＵ４１は、標準電波の受信を終了し、標準電波受信回路５１の電源をオフするとともに、ＬＣＤ４６に標準電波の受信エラー表示を行わせて時刻修正処理を終了する。一方、上記所定の受信時間が経過していないと判別された場合は、ＣＰＵ４１は、引き続き次の信号強度のハイレベルへの立ち上がりから所定の取得時間の入力信号を用いて符号を同定し、ステップＳ１９へ戻ってポジションマーカを検出したか否かの判別を繰り返す。
【００４３】
ステップＳ１９でポジションマーカを検出したと判別された場合は、ステップＳ２１へ移行して、ＣＰＵ４１は、標準電波の受信サンプリング周波数ごとに入力信号の強度がローレベルからハイレベルに変化したか否かを判別する。また、ＣＰＵ４１は、この検出時間をカウントする。ステップＳ２１で、入力信号のハイレベルへの立ち上がりが検出されない場合は、ステップＳ２２へ移行し、続いて、検出時間が所定時間（例えば、１秒）以上であるか否かを判別する。
【００４４】
ステップＳ２２で所定時間が経過したと判別された場合は、標準電波の受信状況が悪く、入力信号のハイレベルへの立ち上がりが検出できなかったと判断する。そして、ＣＰＵ４１は、標準電波の受信を終了し、標準電波受信回路５１の電源をオフするとともに、ＬＣＤ４６に標準電波の受信エラー表示を行わせて、時刻修正処理を終了する。一方、ステップＳ２２で所定時間が経過していない場合は、ステップＳ２１へ戻り、引き続き次の入力信号を取得して、信号強度の立ち上がりの検出処理を繰り返す。
【００４５】
なお、時刻修正処理に失敗した場合は、例えば、１時間後などに自動的に処理を繰り返しても良いし、或いは、次の修正処理時刻まで修正処理を行わないこととしても良い。また、時刻修正処理に失敗した場合のエラー表示も、時刻修正処理に成功するまで表示し続けても良いし、スイッチ４４への入力指示により表示を解除することとしても良い。また、携帯電話１０から取得した時刻データによる時刻修正処理のみが成功した場合は、その後一定時間内は標準電波を用いた時刻修正処理のみを行うこととしても良い。また、これらの処理の繰り返しの有無やタイミングは、スイッチ４４からの入力等により、あらかじめ設定しておけるようにしておいても良い。
【００４６】
ステップＳ２１で次の入力信号の立ち上がりを検出したと判別されると、ＣＰＵ４１は、秒未満値をリセットしてタイミングの同期を行うとともに、このときの計時回路４５の秒値が５５以上であるか否かを判別する（ステップＳ２３）。計時回路４５の時刻データが標準電波の時刻より僅かに進んでおり、既に次の分に切り替わって秒値が０以降（すなわち、５５未満）であれば、そのままステップＳ２５へ移行する。一方、計時回路４５の時刻データが標準電波の時刻より僅かに遅れており、例えば、５９秒台（すなわち、秒値が５５以上）であれば、ステップＳ２４へ移行して、ＣＰＵ４１は、計時回路４５の分値に１を加算する。このとき、元の分値も５９であれば、計時回路４５のカウンタは自動的に時間値への桁上げを行う。そして、ステップＳ２５へ移行する。
【００４７】
なお、計時回路４５の秒値が０秒以降であるか否かの基準値には、本実施の形態では標準電波の受信を開始した５５を用いたが、例えば、３０以上であるか否かなど、適宜に設定可能である。
【００４８】
続いて、ステップＳ２５では、計時回路４５の秒値を０に変更する。上述の処理により、時分秒、及び、秒未満のカウント値が全て修正され、時刻修正処理を終了する。
【００４９】
以上のように、本発明の実施形態の電子時計４０では、携帯電話１０から時刻データを取得した後に標準電波を受信して、例えば、日本のＪＪＹのポジションマーカを検出することで秒の一の位の値を取得し、更に次の信号のハイレベルへの立ち上がりのタイミングに基づいて秒未満のタイミングの修正を行うので、標準電波のタイムコードを全て解読する必要がなく短時間で標準電波を受信した場合と同等の高精度な時刻修正処理を行うことができる。
【００５０】
また、標準電波の受信に要する時間を短くすることができるので、バッテリ容量の限られる電子時計においても電力の消費を抑えることができる。
【００５１】
また、標準電波が受信しづらい状況でも、携帯電話を用いてある程度の時刻の修正を行うことができるので、電子時計によって計時される時刻に大きな誤差が含まれる可能性が低減される。
【００５２】
また、携帯電話を用いて時刻修正を行うことにより標準電波からでは得ることのできないタイムゾーンの情報を取得することができるので、地方時を高い精度で修正することができる。
【００５３】
また、標準電波による時刻修正に失敗した場合には、電子時計のＬＣＤに標準電波受信エラーを示す表示がなされ、また、携帯電話による時刻修正が失敗した場合には、携帯電話とのリンクエラーを示す表示がなされるので、ユーザが計時されている時刻の誤差の範囲を認識することができる。
【００５４】
また、携帯電話１０から時刻データを取得する際には、まず、携帯電話１０に基地局と携帯電話１０との間で通信を行うよう要求し、携帯電話１０の時刻データを更新させた後に携帯電話１０から時刻データを取得するので、携帯電話１０の内部での計時誤差の影響を受けずに高精度な時刻修正を行うことができる。
【００５５】
また、上記の電子時計は、携帯電話とブルートゥース通信を用いて時刻データを取得し、内蔵のアンテナ及び受信回路を用いて標準電波を受信するので、有線で繋いで時刻情報を取得する手間を省くことができる。
【００５６】
なお、本発明は、上記実施の形態に限られるものではなく、様々な変更が可能である。例えば、上記標準電波の受信開始タイミングは５５秒には限られない。例えば、５４秒や５６秒でも良い。
【００５７】
また、携帯電話１０から時刻データとともにタイムゾーンの情報を併せて取得することで、標準電波の受信局を選択したり、時差の補正を行ったりすることができる。従って、ＪＪＹだけではなく、例えば、アメリカのＷＷＶＢの信号をデコードして時刻の修正を行うことも可能である。
【００５８】
また、上記実施形態では、ポジションマーカＰ０を用いたが、マーカＭを用いることとしても良い。同様に、イギリスのＭＳＦにおける分マーカＭや、ドイツのＤＳＦ７７における符号なしデータ（５９秒）等を用いることによっても秒データの修正と同期が可能である。
【００５９】
また、上記実施の形態では、ポジションマーカＰ０のみを用いたが、ポジションマーカＰ０〜Ｐ５の何れを検出しても良いように変形することも可能である。具体的には、ステップＳ１７で、計時回路４５の秒値が、例えば、５、１５、２５、３５、４５、５５のいずれかで標準電波の受信を開始するよう設定する。この場合、最初に検出される“Ｐ”符号は、それぞれポジションマーカＰ１、Ｐ２、Ｐ３、Ｐ４、Ｐ５、Ｐ０となる。そして、ステップＳ２５の修正処理では、ＣＰＵ４１は、秒値を直近の＊０（＊は、０〜５）に修正する。すなわち、修正前の秒値が５５〜５９及び０〜４であれば０に修正し、５〜１４であれば１０に修正し、１５〜２４であれば２０に修正し、２５〜３４であれば３０に修正し、３５〜４４であれば４０に修正し、４５〜５４であれば５０に修正する。このような処理により、５５秒になるまで待機する時間を短縮することができる。また、上記の変形例では、ステップＳ１７の待機処理を省略することとしても良い。
【００６０】
また、上記実施の形態では、標準電波の受信を開始した後、直近のポジションマーカＰ０のみを受信対象とするように所定の受信時間を設定していたが、突発的なノイズなどを考慮して、例えば、２０秒に設定しておくことも可能である。ポジションマーカＰ０のタイミングでノイズが入り、受信できなかった場合でも、ポジションマーカＰ１を受信することで秒値を１０に修正することが可能となる。
【００６１】
また、上記実施の形態ではブルートゥース通信機能を用いたが、他の短距離通信機能を用いることとしても良い。
【００６２】
また、上記実施の形態では、電子時計を例に挙げて説明したが、時計機能を内蔵したＰＤＡ端末や録音、再生装置など、他の携帯端末に用いることとしても良い。その他、実施形態で示した細部などは、発明の要旨を逸脱しない範囲で適宜変更可能である。
【符号の説明】
【００６３】
１０   携帯電話
１４   操作部
１５   表示部
１６   ドライバ
１７   スピーカ
１８   マイク
１９   コーデック
２０   送受信回路
２１   通信回路
２２   モジュール
２７   内蔵時計
２８   データバス
４０   電子時計
４１   ＣＰＵ
４４   操作ボタン
４４   スイッチ
４５   計時回路
４６   表示部
４８   モジュール
５６   データバス
５７   標準電波受信回路
ＡＮ１２      アンテナ
ＡＮ５０、ＡＮ５２   アンテナ
【図１】
2011112472.tif 000003
【図２】
2011112472.tif 000004
【図３】
2011112472.tif 000005
【図４】
2011112472.tif 000006